(57)【特許請求の範囲】
【請求項１】
１つの熱交換器に設けられた給湯管および追焚管と、上記熱交換器を加熱する熱発生部と、追焚中に上記給湯管内の水温が所定の追焚停止温度に達すると上記熱発生部による加熱を停止させる制御部とを備えた一缶二水路式給湯装置において、上記給湯管に供給される給水の圧力を検出する給水圧検出手段と、この給水圧検出手段による検出圧力に基づいて上記追焚停止温度を決定する停止温度決定手段とを設けたことを特徴とする一缶二水路式給湯装置。
【請求項２】
上記給水圧検出手段と上記熱交換器との間の上記給湯管に、上流側から下流側への給水の流れを許容し、下流側から上流側への給水の流れを阻止する逆止弁を設けたことを特徴とする請求項１に記載の一缶二水路式給湯装置。
【発明の詳細な説明】
【０００１】
【発明の属する技術分野】
この発明は、給湯と追焚との２つの機能を有する一缶二水路式給湯装置に関する。
【０００２】
【従来の技術】
一般に、従来の一缶二水路式ガス給湯装置は、１つの熱交換器と、この熱交換器に設けられた給湯管および追焚管と、熱交換器を加熱するガスバーナ（熱発生部）とを有している。そして、給湯時に給湯栓を開くと、給湯管に供給される給水が熱交換器において加熱され、給湯栓から出湯される。また、追焚時には、追焚管に設けられたポンプを起動すると、浴槽の湯が追焚管を通って循環し、熱交換器において加熱されて浴槽に戻される。
【０００３】
ところで、一管二水路式給湯装置においては、１つの熱交換器に給湯管と追焚管とを設けているため、給湯運転中には追焚管内の湯も加熱され、追焚運転中には給湯管内の給水も加熱される。特に、図５に示す熱交換器のような形状の場合、つまり給湯管の一部たる給湯水管１１の上に追焚管の一部たる追焚水管２１が配置されているような場合には、追焚運転中にはまず給湯水管１１がガスバーナ（図示せず）で加熱され、給湯水管１１内の給水を熱媒体として追焚水管２１内の湯が間接的に加熱される。勿論、追焚水管２１内の湯は直接的にも加熱されている。ここで、給湯水管１１内の給水は、給湯水管１１が追焚水管２１よりガスバーナに近接して配置されているので、追焚水管２１内への湯の加熱で給湯水管１１内の湯が奪われる熱量よりガスバーナから給湯水管１１内の給水が受け取る熱量の方が多いと、追焚運転中に沸騰するおそれがある。
【０００４】
追焚運転中の給水の沸騰を防止するために、従来の一缶二水路式給湯装置においては、追焚停止温度ＴOFFと追焚再開温度ＴON（＜ＴOFF）とを予め設定しておき、給湯管内の給水の温度が追焚停止温度ＴOFFに達したらガスバーナの追焚燃焼を一時停止させ、その後給水温度が追焚再開温度ＴON以下になったら再度ガスバーナを燃焼させるようにしている。そして、このようなガスバーナの燃焼停止と燃焼再開とを、浴槽の湯の温度が所望の温度になるまで繰り返すようにしている。
【０００５】
【発明が解決しようとする課題】
図６に示すように、給水の沸騰温度はその圧力によって異なり、給水圧が低下するとそれに応じて給水の沸騰温度も低下する。このため、給水圧が低い状態で追焚燃焼を行うと、給水が追焚停止温度ＴOFFに達する前に沸騰してしまうおそれがあった。
【０００６】
勿論、追焚停止温度ＴOFFを予め低めに設定しておけば、給水が沸騰するのを防止することができる。しかし、追焚停止温度ＴOFFを低く設定すると、給水圧が高い状態のときには、沸騰のおそれのない低い温度で燃焼が停止される結果、燃焼停止が頻繁に行われることになり、追焚能率が低下してしまう。
【０００７】
【課題を解決するための手段】
上記の問題を解決するために、請求項１に係る発明は、１つの熱交換器に設けられた給湯管および追焚管と、上記熱交換器を加熱する熱発生部と、追焚中に上記給湯管内の水温が所定の追焚停止温度に達すると上記熱発生部による加熱を停止させる制御部とを備えた一缶二水路式給湯装置において、上記給湯管に供給される給水の圧力を検出する給水圧検出手段と、この給水圧検出手段による検出圧力に基づいて上記追焚停止温度を決定する停止温度決定手段とを設けたことを特徴としている。
【０００８】
この場合、上記給水圧検出手段と上記熱交換器との間の上記給湯管に、上流側から下流側への給水の流れを許容し、下流側から上流側への給水の流れを阻止する逆止弁を設けるのが望ましい。
【００１１】
【発明の実施の形態】
以下、この発明の一実施の形態について図１〜図５を参照して説明する。
図１はこの発明に係る一缶二水路式ガス給湯装置の概略構成を示すものであり、この給湯装置は、一つの缶（図示せず）と、この缶の下部に収容されたガスバーナ（熱発生部）１と、缶の上部に収容された熱交換器２と、ガスバーナ１に燃焼空気を供給するためのファン（図示せず）とを有している。上記バーナ１にガスを供給する手段は、ガス管３と、このガス管３にそれぞれ設けられた主電磁開閉弁４および電磁比例弁５とを有している。また、バーナ１の近傍には、点火機構（図示せず）が配置されている。
【００１２】
上記ガスバーナ１および熱交換器２は、給湯管１０と追焚管２０との両者に共通に用いられている。すなわち、上記熱交換器２は、多数の薄肉のフィンプレート２ａを有しており、このフィンプレート２ａには給湯管１０の一部たる給湯水管１１と、追焚管２０の一部たる追焚水管２１とがそれぞれ貫通状態で配置されている。図５に示すように、給湯水管１１は、フィンプレート２ａの下側の部分を複数回にわたって貫通した後、フィンプレート２ａの上部を複数回にわたって貫通するようになっており、追焚水管２１は給湯水管１１のうちの下側の部分に沿ってその上面に接触するように配置されている。勿論、周知の他の配置を採用してもよい。
【００１３】
上記給湯水管１１の入口端には、給水管１２が接続され、出口端には出湯管１３が接続されている。これら給湯水管１１、給水管１２および出湯管１３によって給湯管１０が構成されている。出湯管１３の末端には給湯栓１４が設けられている。また、給水管１２と給湯管１３との間には、２本のバイパス管１５，１６が給湯水管１１と並列に設けられている。図１において、バイパス管１５と給水管１２および出湯管１３との接続点が符号Ｐ１，Ｐ２でそれぞれ示され、バイパス管１６と給水管１２および出湯管１３との接続点が符号Ｐ３，Ｐ４でそれぞれ示されている。
【００１４】
熱交換器２に近い方のバイパス管１５には弁等が設けられておらず、給水管１２内を流れる給水は、接続点Ｐ１において給湯水管１１側とバイパス管１２側とに常に一定の割合（例えば、７０：３０）で別れる。そして、接続点Ｐ２において再び合流する。
【００１５】
一方、熱交換器２から遠い方のバイパス管１６には、流量制御弁ＧＭ２が設けられている。この流量制御弁ＧＭ２は、例えば次のように構成されたギアモータ駆動式のものが用いられている。すなわち、ギアモータ駆動式の流量制御弁は、管内に設けられた環状の弁座と、この弁座に対して移動可能な弁体と、この弁体に一端部が固定されたシャフトと、このシャフトの他端部に減速ギヤ列を介して接続されたモータとを有している。上記シャフトは、弁ケースに螺合されている。したがって、モータが回転すると、シャフトがその軸方向へ移動し、これによって弁体と弁座との間の開度を変えることができるようになっている。したがって、接続点Ｐ３から給湯水管１１側へ流れる水量とバイパス管１６側へ流れる水量との割合は、適宜に変えることができる。なお、流量制御弁ＧＭ２と同様に構成された流量制御弁ＧＭ１が接続点Ｐ２，Ｐ４間の出湯管１３にも設けられている。
【００１６】
上記給湯管１０には、第１、第２の二つのフローセンサＦＬ１，ＦＬ２が設けられている。第１のフローセンサＦＬ１は、接続点Ｐ１，Ｐ３間の給水管１２に配置されており、第２のフローセンサＦＬ２は、接続点Ｐ４と給湯栓１４との間の出湯管１３に配置されている。
【００１７】
また、給湯管１０には、４つの温度センサＴＨIN、ＴＨZ、ＴＨOUT、ＴＨMIXが設けられている。温度センサＴＨINは、接続点Ｐ３より上流側の給水管１２に配置されており、給水温度を検出する。温度センサＴＨZは、給湯水管１１のベンド部に配置されており、給湯水管１１内の水の温度を検出する。温度センサＴＨOUTは、給湯水管１１の出口近傍の出湯管１３に配置されており、給湯水管１１から出る湯の温度を検出する。温度センサＴＨMIXは、接続点Ｐ４より下流側の出湯管１３に配置されており、給水栓１４から出る湯の温度を検出する。
【００１８】
一方、上記追焚管２０であるが、上記追焚水管２１の入口端と浴槽６との間には復路管２２が接続され、追焚水管２１の出口端と浴槽６との間には往路管２３が接続されている。これら追焚水管２１、復路管２２および往路管２３によって追焚管２０が構成されている。復路管２２には、ポンプ２４、温度センサＴＨHRおよび流水スイッチＦＳが設けられている。温度センサＴＨHRは、浴槽６から復路管２２に流入する湯（または水）の温度を検出する。したがって、温度センサＴＨHRは、浴槽６内の湯の温度を実質的に検出する。また、流水スイッチＦＳは、復路管２２内を湯が流れているか否かを検出するためのものであり、復路管２２内を湯が流れている場合にはＯＮ状態になり、流れていない場合にはＯＦＦ状態になる。流水スイッチＦＳがＯＦＦ状態のときには、後述する追焚スイッチがＯＮ操作されたとしても、バーナ１を点火させないようになっている。
【００１９】
上記給湯管１０の出湯管１３と追焚管２０の復路管２２との間には、浴槽６への湯張りのための注湯管３０が設けられており、注湯管３０と出湯管１３および復路管２２との各接続点が符号Ｐ５，Ｐ６でそれぞれ示されている。注湯管３０には、電磁開閉弁からなる注湯弁３１が設けられている。
【００２０】
上記給湯装置は、さらに、制御ユニット（制御部）５０とリモートコントローラ６０とを備えている。制御ユニット５０には、種々の検出手段からの検出信号が入力される。ここでは、温度センサＴＨIN、ＴＨZ、ＴＨOUT、ＴＨMIX、ＴＨHR、フローセンサＦＬ１，ＦＬ２および流水スイッチＦＳの検出信号が入力されている。なお、以下においては、各検出手段の検出信号には各検出手段と同一の符号を用いるものとする。制御ユニット５０は、各検出信号に基づいて、ガス供給手段の主電磁開閉弁４および電磁比例弁５、点火機構、ファン、流量制御弁ＧＭ1，ＧＭ2、ポンプ２４および注湯弁３１を制御する。一方、リモートコントローラ６０は、運転スイッチ、風呂自動運転スイッチ、追焚スイッチ、温度設定部および表示部（いずれも図示せず）を備えており、これらのスイッチのＯＮ、ＯＦＦ情報、設定温度情報を制御ユニット５０に出力するととともに、これの情報を表示部に表示する。後述するように、表示部は制御ユニット５０からのエラー情報も表示する。
【００２１】
上記構成の給湯装置を用いて給湯、追焚および自動湯張りを行う場合において、まず給湯を行う場合には、リモートコントローラ６０の運転スイッチをＯＮ状態にし、給湯栓１４を開く。すると、制御ユニット５０は、ガスバーナ１を点火するととともに、設定温度、給水管１２に供給される水の給水量ＦＬ１、給水温度ＴＨIN、出湯温度ＴＨOUTおよび給湯量ＦＬ２に基づいて電磁比例制御弁５および流量制御弁ＧＭ１，ＧＭ２を制御する。これにより、給湯栓１４から設定温度に等しい温度の湯が吐出される。
なお、電磁比例制御弁５等の制御は、従来のものと同様であり、この発明の要部でもないので、その詳細な説明は省略する。これは、次の追焚および自動湯張りについても同様である。また、給水量ＦＬ１と給湯量ＦＬ２が所定の大きさ以上の差がある場合には、配管中に水漏れがあるものとして、ガスバーナ１の燃焼を停止するとともに、表示部がエラーの表示をする。
【００２２】
追焚を行う場合には、リモートコントローラ６０の追焚スイッチをＯＮ状態にする。すると、まずポンプ２４が起動され、浴槽６内の湯が復路管２２および往路管２３を通って循環する。復路管２２内の湯の流れを流水スイッチＦＳが検出すると、ガスバーナ１が点火される。これによって、浴槽６内の湯が加熱される。そして、温度センサＴＨHRによる検出信号が設定温度に達すると、自動的にガスバーナ１の燃焼が停止されるとともに、ポンプ２４が停止される。
【００２３】
自動湯張りを行う場合には、リモートコントローラ６０の風呂自動運転スイッチをＯＮ状態にする。すると、ガスバーナ１が点火されるとともに、注湯弁３１が開弁され、給湯水管１１において加熱された湯が注湯管３０を通り、復路管２２および往路管２３を介して浴槽６に供給される。勿論、浴槽６に供給される湯の温度が設定温度になるように、制御ユニット５０によって制御される。そして、浴槽６内に所定の量の湯が溜まると、浴槽６の水量を検出する検出手段（図示せず）の検出信号に基づいて注湯弁３１が閉じられるとともに、ガスバーナ１の燃焼が停止され、湯張りが終了する。
【００２４】
ここで、この給湯装置においては、追焚運転中に給湯水管１１内の給水が沸騰するのを防止するために、温度センサＴＨOUTの検出温度（以下、出湯温度という。）ＴＨOUTが基準追焚停止温度ＴOFF0に達したら、ガスバーナ１の燃焼（追焚燃焼）が一時停止されるようになっている。基準追焚停止温度ＴOFF0は、給水の圧力が所定の基準給水圧Ａ（≧１Ｋｇ／ｃｍ2）である場合において、出湯温度ＴＨOUTが基準追焚停止温度ＴOFF0になったとき、給湯水管１１内の給水が沸騰することがないような温度に設定されている。この実施の形態では、基準給水圧Ａが１Ｋｇ／ｃｍ2であるとき、基準追焚燃焼停止温度ＴOFFが７０°Ｃに設定されている。
【００２５】
その一方、追焚燃焼の一時停止により、給湯水管１１内の給水は、燃焼による受熱がなくなる一方、追焚水管２１の湯への放熱が引き続き行われることによっによって温度が下がり、出湯温度ＴＨOUTが所定の追焚再開温度ＴON（＜ＴOFF）になると、ガスバーナ１の燃焼が再開されるようになっている。そして、ガスバーナ１の燃焼の停止および再開を繰り返すうちに、温度センサＴＨHRによる検出信号が設定温度ＴＨ0に達すると、自動的にガスバーナ１の燃焼が停止されるとともに、ポンプ２４が停止される。
【００２６】
ところで、基準追焚停止温度ＴOFF0が所定の設定給水圧Ａに基づいて定められているため、給水管１２に供給される給水の実際の圧力が設定給水圧Ａより低い場合には、出湯温度ＴＨOUTが基準追焚停止追焚ＴOFF0になる前に給湯水管１１内の給水が沸騰してしまうおそれがある。
なお、基準追焚停止温度ＴOFF0および追焚再開温度ＴONを温度センサＴＨOUTでなく、給湯水管１１の入口に配置された温度センサＴＨIN′または温度センサＴＨZで測定した場合には、沸騰が発生すると給湯水管１１を出た湯と給水管１２内の水とが混合し、急速に温度が低下して追焚再開温度ＴON以下になるため、再び燃焼が再開されてしまう。つまり、本体追焚水管２１内の湯への放熱によって行われるべき燃焼の再開が沸騰による給水管１２内の水との混合によって行わてしまう。
【００２７】
そのような不具合を防止するために、この給湯装置においては、熱交換器２より上流側に配置されている給水管１２に逆止弁Ｖが設けられている。特に、この実施の形態では、逆止弁Ｖが接続点Ｐ３と温度センサＴＨINとの間に配置されている。この逆止弁Ｖは、その上流側から下流側への給水の流れは許容するが、下流側から上流側への給水の流れを阻止するためのものであり、そのような機能を有しているものであれば、その構造は任意である。
【００２８】
上記構成の給湯装置においては、給湯栓１４を閉じると、給湯管１０内の給水が逆止弁Ｖと給湯栓１４との間に閉じ込められる。したがって、追焚運転中に給湯水管１１内の給水が加熱されて膨張すると、給湯管１０内の圧力が上昇する。この結果、仮に給湯管１０に供給される給水の圧力が基準給水圧Ａより低くても、追焚燃焼によって給湯水管１１内の給水が加熱されると、その圧力が基準給水圧Ａより高くなる。したがって、出湯温度ＴＨOUTが基準追焚停止温度ＴOFF0に達する前に、給湯水管１１内で給水が沸騰するのを防止することができる。
【００２９】
次に、この発明の他の実施の形態について説明する。
図２に示す実施の形態の給湯装置は、逆止弁Ｖに代えて、給湯管１０に供給される給水の圧力を測定するための圧力センサＰSを設けたものであり、圧力センサＰSは、温度センサＴＨINと接続点Ｐ３との間に配置されている。圧力センサＰSの検出信号は、制御ユニット５０に送られる。制御ユニット５０は、圧力センサＰSの出力信号に基づいて追焚運転時の追焚停止温度ＴOFFを決定するとともに、出湯温度ＴＨOUTが追焚停止温度ＴOFFになると、追焚燃焼を一時停止させるようになっている。
【００３０】
そのような追焚燃焼の制御は、図４に示すフローチャートに基づいて実行される。すなわち、追焚指令があると、まずステップＳ１において圧力センサＰSの検出信号たる給水圧ＰSの読み込みが実行される。次に、ステップＳ２において、給水圧ＰSに基づいて追焚停止温度ＴOFFおよび追焚再開温度ＴON（＜ＴOFF）が決定される。
【００３１】
追焚停止温度ＴOFFは、一定でなく、給水圧ＰSに応じて決定される点において上記の実施の形態の基準追焚停止温度ＴOFF0と異なるが、一旦決定された後は、基準追焚停止温度ＴOFF0と同様に、出湯温度ＴＨOUTが追焚停止温度ＴOFFに達したらガスバーナ１の燃焼が停止される。追焚停止温度ＴOFFは、基準給水圧Ｐ0および基準ＯＦＦ温度Ｔ0を予め定めておき、実際の給水圧ＰSと基準給水圧Ｐ0との差に基づいて基準追焚停止温度Ｔ0を補正するようにしてもよく、あるいは給水圧ＰSと追焚停止温度ＴOFFとの関係を表すマップを予め作成しておき、そのマップから選択するようにしてもよい。
【００３２】
一方、追焚再開温度ＴONは、追焚停止温度ＴOFFに対して常に一定の温度差になるように定めるのが望ましいが、一定にしてもよい。ただし、一定にする場合においても、必ずＴON＜ＴOFFにすべきことは勿論である。
【００３３】
次に、ステップＳ３においてガスバーナ１が点火され、追焚燃焼が開始する。追焚燃焼開始後、ステップＳ４において浴槽６の湯の温度ＴＨHRが設定温度ＴH0以上であるか否かが判断される。ＴＨHR≧ＴH0である場合には、浴槽６の湯の温度が所望の設定温度に達しているので、ステップＳ５においてガスバーナ１の燃焼およびポンプ２４が停止され、追焚燃焼が終了する。一方、ＴＨHR＜ＴH0である場合には、ステップＳ６に進む。
【００３４】
ステップＳ６においては、出湯温度ＴＨOUTが追焚停止温度ＴOFF以上であるか否かが判断される。ＴＨOUT＜ＴH0である場合には、追焚燃焼が続行され、ステップＳ４に戻る。ＴＨHR≧ＴH0である場合には、ステップＳ７においてガスバーナ１の燃焼が停止された後、ステップＳ８に進む。なお、ポンプ２４の運転は続行される。
【００３５】
ステップＳ８においては、出湯温度ＴＨOUTが追焚再開温度ＴON以下であるか否かが判断される。ＴＨOUT≦ＴONである場合には、ステップＳ３に戻り、ガスバーナ１の燃焼が再開され、ステップＳ３〜Ｓ８が繰り返される。一方、ＴＨOUT＞ＴONである場合には、ステップＳ９に進む。
【００３６】
ステップＳ９では、浴槽の湯の温度ＴＨHRが設定温度ＴＨ0以上であるか否かが判断される。ＴＨHR≧ＴＨ0である場合には、ステップＳ１０においてポンプ２４が停止され、追焚燃焼が終了する。なお、ガスバーナ１の燃焼停止後にＳ９の判断を行わせるようにしたのは、熱交換器２、給湯水管１１およびその内部の給水が保有する熱によって追焚水管２１が加熱され、ガスバーナ１の燃焼停止後においても浴槽６の湯の温度が設定温度ＴＨ0に上昇することがあるからである。一方、ＴＨHR＜ＴＨ0である場合には、ステップＳ８に戻る。つまり、出湯温度ＴＨOUTが追焚再開温度ＴONに低下するまで待機する。そして、ＴＨOUT≦ＴONになると、ＴＨHR≧ＴＨ0になるまでステップＳ３以降が繰り返される。
【００３７】
上記の給湯装置においては、追焚停止温度ＴOFFを給水圧ＰSに基づいて決定しているので、給水圧ＰSの大きさに拘わらず常に給湯水管１１内の給水が沸騰するのを防止することができる。しかも、給水圧ＰSが高いときには、それに応じて追焚停止温度ＴOFFが高く設定されるので、ガスバーナ１の燃焼停止が頻繁に行われることがない。よって、追焚効率を向上させることができる。
【００３８】
また、図３に示す実施の形態の給湯装置は、図１に示す実施の形態と図２に示す実施の形態とを組み合わせたものであり、給水管１２に逆止弁Ｖと圧力センサＰSとがそれぞれ設けられている。逆止弁Ｖは、圧力センサＰSより下流側に配置されている。その他の構成は、図２に示す実施の形態と同様である。
【００３９】
この実施の形態の給湯装置においては、追焚中、または追焚終了直後に給湯栓１４を開いたときに給湯水管１１内の給水が沸騰するのを防止することができる。
すなわち、図１に示す実施の形態においては、追焚中に給湯水管１１内の給水の圧力が上昇して給水管１２に供給される給水の圧力（以下、元圧という。）より高くなることがある。このため、追焚中またはその直後に給湯栓１４を開くと、給湯水管１１内の圧力が元圧まで急激に低下する。この結果、給湯水管１１内の給水が沸騰することがある。
【００４０】
この点、この実施の形態の給湯装置においては、元圧（給水圧）ＰSに基づいて再開停止温度ＴOFFを定めているので、給湯水管１１内の給水の温度が元圧ＰSであるときの沸点に達することがない。したがって、追焚中またはその停止直後に給湯栓１４を開いたとしても、給湯水管１１内の給水が沸騰するのを防止することができる。
【００４１】
なお、この発明は、上記の実施の形態に限定されるものでなく、適宜変更可能である。
例えば、図２に示す実施の形態においては、追焚開始後、追焚停止温度ＴＯＦＦおよび追焚再開温度ＴＯＮを一旦決定すると、追焚が終了するまでそれを用いているが、追焚中にも元圧ＰＳを常時監視し、それに応じて追焚停止温度ＴＯＦＦおよび追焚再開温度ＴＯＮを変えるようにしてもよい。
【００４２】
また、上記の実施の形態においては、給水管１２に設けられた圧力センサＰSによって給湯管に供給される給水の圧力を検出しているが、例えば給湯栓１４の開度と、その開度のときに給湯管１０内を流れる給水の流量とによって給水圧を演算し、その演算結果を制御ユニット５０に記憶させる。そして、その記憶された給水圧に基づいてＯＦＦ温度およびＯＮ温度を決定するようにしてもよい。その場合、給水圧の演算および記憶は、給湯栓１４が開かれる度に行うのが望ましい。
【００４３】
さらに、上記の実施の形態においては、出湯温度ＴＨOUTを検出することによって給湯水管１１内の給水の温度を間接的に検出しているが、温度センサＴＨZによって給湯水管１１内の給水の温度直接検出するようにしてもよい。
【００４４】
【発明の効果】
以上説明したように、請求項１に係る発明によれば、追焚中に給湯管内の給湯が沸騰するのを防止することができるとともに、追焚能率を向上させることができるという効果が得られる。
請求項２に係る発明によれば、請求項１による効果に加えて、追焚中またはその直後に給湯栓を開いたとき、給湯管内の給水が沸騰するのを防止することができるという効果が得られる。
【図面の簡単な説明】
【図１】この発明の一実施の形態の概略構成を示す図である。
【図２】この発明の他の実施の形態の要部を示す図である
【図３】この発明のさらに他の実施の形態の要部を示す図である。
【図４】図２に示す実施の形態による追焚燃焼用のフローチャートを示す図である。
【図５】この発明に係る熱交換器における給湯水管と追焚水管との配置上記を示す図である。
【図６】給水圧と沸騰温度との関係を示す図である。
【符号の説明】
Ｖ  逆止弁
ＰS  圧力センサ（給水圧検出手段）
１  ガスバーナ（熱発生部）
２  熱交換器
１０  給湯管
２０  追焚管
５０  制御ユニット（制御部）
【図１】
0003798123.tif 000002
【図２】
0003798123.tif 000003
【図３】
0003798123.tif 000004
【図４】
0003798123.tif 000005
【図５】
0003798123.tif 000006
【図６】
0003798123.tif 000007